(57)【要約】【課題】室内機に冷媒が寝込むことを防ぎ安定した運転を維持できる空気調和装置を提供すること。【解決手段】圧縮機５と室外熱交換器１３と室外膨張弁１７とを有した１または複数台の室外機１に対して、室内熱交換器２７と室内膨張弁２９とを有した１または複数台の室内機３を接続した空気調和装置において、１または複数台の室外機の少なくとも１つに設けられたガス欠の発生を予測する１又は複数の予測手段と、暖房運転時に、１または複数の予測手段の少なくとも１つでガス欠の発生が予測された場合であって、停止中の室内機が存在するときには、停止中の室内機の室内膨張弁を、所定の周期毎に、所定の開度単位で段階的に開閉させ、停止中の室内機の室内熱交換器に寝込んだ冷媒を排出する制御を行う制御手段と、停止中の室内機の室内膨張弁の状態に応じて、制御手段の所定の開度単位を調整する調整手段とを備えた。【選択図】図１
2007315750.tif 000002
【特許請求の範囲】
【請求項１】
圧縮機と室外熱交換器と室外膨張弁とを有した１または複数台の室外機に、室内熱交換器と室内膨張弁とを有した複数台の室内機を並列に接続した空気調和装置において、
前記１または複数台の室外機の少なくとも１つに設けられたガス欠の発生を予測する１又は複数の予測手段と、
暖房運転時に、前記１または複数の予測手段の少なくとも１つでガス欠の発生が予測された場合であって、停止中の室内機が存在するときには、前記停止中の室内機の室内膨張弁を、所定の周期毎に、所定の開度単位で段階的に開閉させ、前記停止中の室内機の室内熱交換器に寝込んだ冷媒を回収する制御を行う制御手段と、
前記停止中の室内機の室内膨張弁の状態に応じて、前記制御手段の前記所定の開度単位を調整する調整手段と、
を備えたことを特徴とする空気調和装置。
【請求項２】
請求項１記載の空気調和装置において、
前記調整手段は、前記停止中の室内機の室内膨張弁を閉じる場合の前記所定の開度単位が、開く場合の前記所定の開度単位よりも小さくなるように調整することを特徴とする空気調和装置。
【請求項３】
請求項１または２のいずれかに記載の空気調和装置において、
前記調整手段は、前記停止中の室内機の室内膨張弁を閉じる場合、前記室内膨張弁の開度が所定の開度よりも小さいときの前記所定の開度単位を、前記室内膨張弁の開度が前記所定の開度よりも大きいときの前記所定の開度単位よりも小さくなるように調整することを特徴とする空気調和装置。
【請求項４】
請求項１乃至３のいずれか１項に記載の空気調和装置において、
前記調整手段は、前記所定の開度単位が所定の上限値および所定の下限値の範囲内に収まるように調整することを特徴とする空気調和装置。
【請求項５】
請求項１乃至４のいずれか１項に記載の空気調和装置において、
前記調整手段は、前記１または複数の予測手段の全てにおいてガス欠が予測されていない場合には、前記室内膨張弁と、前記室外膨張弁の弁開度の差に基づいて、前記所定の開度単位を調整することを特徴とする空気調和装置。
【発明の詳細な説明】
【技術分野】
【０００１】
本発明は、空気調和装置に係り、室内機の制御に関する。
【背景技術】
【０００２】
一般に、圧縮機と室外熱交換器を有した室外機に、室内熱交換器と室内膨張弁を有した複数台の室内機を並列に接続した空気調和装置が知られている。
【０００３】
この種のものでは、いずれかの室内機が停止中にこの停止中の室内機に冷媒が寝込む場合がある。従来、この室内機の室内熱交換器に寝込んだ冷媒を、室外機に回収するために、停止中の室内機の停止時間を計測し、この停止時間が一定時間を経過した後に、停止中の室内機の室内膨張弁を所定開度開いて、この室内熱交換器に寝込んだ冷媒を室外機に回収させていた。
【発明の開示】
【発明が解決しようとする課題】
【０００４】
しかしながら、従来の構成では、室内熱交換器に寝込んだ冷媒を回収する一定時間経過前に、多量の冷媒が寝込んだ場合、室外機にガス欠が発生するという問題がある。
【０００５】
また、停止中の室内機の熱交換器の容量が大きい場合、ここに寝込んだ冷媒を、室内膨張弁を開いて室外機に一度に戻そうとすると、寝込んでいる冷媒量が多いので、液バック等の不具合が生じるという問題がある。
【０００６】
そこで、本発明の目的は、上述した従来の技術が有する課題を解消し、一定以上に容量の大きい熱交換器に多量の冷媒が寝込むことを未然に防ぎ、ガス欠を防止し、安定した運転を維持できる空気調和装置を提供することにある。
【課題を解決するための手段】
【０００７】
請求項１記載の発明は、圧縮機と室外熱交換器と室外膨張弁とを有した１または複数台の室外機に、室内熱交換器と室内膨張弁とを有した複数台の室内機を並列に接続した空気調和装置において、前記１または複数台の室外機の少なくとも１つに設けられたガス欠の発生を予測する１又は複数の予測手段と、暖房運転時に、前記１または複数の予測手段の少なくとも１つでガス欠の発生が予測された場合であって、停止中の室内機が存在するときには、前記停止中の室内機の室内膨張弁を、所定の周期毎に、所定の開度単位で段階的に開閉させ、前記停止中の室内機の室内熱交換器に寝込んだ冷媒を回収する制御を行う制御手段と、前記停止中の室内機の室内膨張弁の状態に応じて、前記制御手段の前記所定の開度単位を調整する調整手段と、を備えたことを特徴とする。
この構成によれば、予測手段によってガス欠が予測される場合には、制御手段によって室内膨張弁が所定の周期毎に、所定の開度単位で開閉されて冷媒の寝込みが解消されるとともに、調整手段によって室内膨張弁の開度単位が室内膨張弁の状態に応じて調整される。
これにより、冷媒の寝込みが解消されるとともに、液バックの発生が抑制される。
【０００８】
また、請求項２記載の発明は、前記調整手段は、前記停止中の室内機の室内膨張弁を閉じる場合の前記所定の開度単位が、開く場合の前記所定の開度単位よりも小さくなるように調整することを特徴とする。
この構成によれば、停止中の室内機の室内膨張弁を閉じる場合の所定の開度単位が、開く場合の所定の開度単位よりも小さくなるように調整される。これにより、配管内部の冷媒に対する抵抗の増加を抑えて、冷媒の寝込みを防止することができる。
【０００９】
また、請求項３記載の発明は、前記調整手段は、前記停止中の室内機の室内膨張弁を閉じる場合、前記室内膨張弁の開度が所定の開度よりも小さいときの前記所定の開度単位を、前記室内膨張弁の開度が所定の開度よりも大きいときの前記所定の開度単位よりも小さくなるように調整することを特徴とする。
この構成によれば、室内膨張弁を閉じる場合、室内膨張弁の開度が所定の開度よりも小さいときの所定の開度単位を、室内膨張弁の開度が所定の開度よりも大きいときの所定の開度単位よりも小さくなるように調整される。これにより、ガス欠の発生が予測されない場合であっても、冷媒が寝込むことを防止できる。
【００１０】
また、請求項４記載の発明は、前記調整手段は、前記所定の開度単位が所定の上限値および下限値の範囲内に収まるように調整することを特徴とする。
この構成によれば、所定の開度単位が所定の上限値および所定の下限値の範囲内になるように調整される。これにより、弁の開度が急速に変化することを防止できる。
【００１１】
また、請求項５記載の発明は、前記調整手段は、前記１または複数の予測手段の全てにおいてガス欠が予測されていない場合には、前記室内膨張弁と、前記室外膨張弁の弁開度の差に基づいて、前記所定の開度単位を調整することを特徴する。
この構成によれば、ガス欠が予測されていない場合には、室内膨張弁と、室外膨張弁の弁開度の差に基づいて、所定の開度単位が調整される。これにより、室外膨張弁の弁開度が減少し、室外膨張弁の弁開度の絶対値が大きくなった状態で安定し、停止中の室内機へ不必要な冷媒が流れ込むことを防止できる。
【発明の効果】
【００１２】
暖房運転時に停止中の一定以上の容量を備える室内機の室内膨張弁の弁開度を開放する手段によって、当該室内熱交換器に冷媒が寝込むことを未然に防ぎ、ガス欠を防止することができるので、安定した運転が維持される。
【００１３】
仮に停止中の室内機の室内熱交換器に冷媒が寝込んだ場合であっても、冷媒を回収する際に、室内機の室内膨張弁の増加弁開度に上限値を設定したので、寝込んだ冷媒が一度に室外機に回収されることが無く、液バック等の不具合を防止でき、安定した運転維持が図れる。
【発明を実施するための最良の形態】
【００１４】
以下、本発明の一実施形態を図面に基づいて説明する。
【００１５】
図１において、１ａ、１ｂは室外機を示し、３ａ、３ｂ、３ｃは室内機を示している。室外機１ａは、ガスエンジン駆動による圧縮機５ａと、逆止弁７ａと、四方弁９ａと、室外熱交換器１３ａと、室外膨脹弁１７ａと、リキッド弁１９ａと、バイパス弁２１ａと、アキュームレータ２３ａと、で構成されている。なお、１１ａは、暖房運転時に室外熱交換器１３ａから冷媒が流出される側の管路に設けられている室外熱交換器冷媒出口温度センサを示し、１５ａは、暖房運転時に室外熱交換器１３ａに冷媒が流入される側の管路に設けられている室外熱交換器冷媒入口温度センサを示し、２５ａは室外熱交換器１３ａのファンを示している。室外機１ｂについては、以下の構成を含めて、室外機１ａと同じであるので、説明を省略する。
【００１６】
また、室内機３ａは、室内熱交換器２７ａと、室内膨脹弁２９ａと、で構成されている。なお、３１ａは冷房運転時に室内熱交換器２７ａから冷媒が流出される側の管路に設けられている室内熱交換器冷媒出口温度センサを示し、３３ａは冷房運転時に室内熱交換器２７ａに冷媒が流入される側の管路に設けられている室内熱交換器冷媒入口温度センサを示している。室内機３ｂ、３ｃについては、以下の構成を含めて、室内機３ａと同じであるので、説明を省略する。この室内機３ａ、３ｂ、３ｃからは、ガス管３５及び液管３７からなるユニット間配管が延び出し、このユニット間配管には、室外機１ａ、１ｂが並列に接続されている。
【００１７】
上記構成において、冷房運転時には、圧縮機５ａ、５ｂからの冷媒が、図１に点線矢印で示すように、逆止弁７ａ、７ｂ、四方弁９ａ、９ｂ、室外熱交換器１３ａ、１３ｂ、室外膨脹弁１７ａ、１７ｂを経て液管３７に流出し、それぞれの室内機３ａ、３ｂ、３ｃに入り、室内膨脹弁２９ａ、２９ｂ、２９ｃ、室内熱交換器２７ａ、２７ｂ、２７ｃの順に流れてガス管３５に流出し、さらに四方弁９ａ、９ｂ、アキュームレータ２３ａ、２３ｂを経て圧縮機５ａ、５ｂに戻される。
【００１８】
また、暖房運転時には、圧縮機５ａ、５ｂからの冷媒が、図１に実線矢印で示すように、逆止弁７ａ、７ｂ、四方弁９ａ、９ｂを経てガス管３５に流出し、それぞれの室内機３ａ、３ｂ、３ｃに入り、室内熱交換器２７ａ、２７ｂ、２７ｃ、室内膨脹弁２９ａ、２９ｂ、２９ｃの順に流れて液管３７に流出し、さらに室外膨脹弁１７ａ、１７ｂ、室外熱交換器１３ａ、１３ｂ、四方弁９ａ、９ｂ、並びにアキュームレータ２３ａ、２３ｂを経て圧縮機５ａ、５ｂに戻される。
【００１９】
又、各室外機１ａ、１ｂには、各室外機１ａ、１ｂを個別に制御する室外制御装置３９ａ、３９ｂが設けられており、各室内機３ａ、３ｂ、３ｃには、各室内機３ａ、３ｂ、３ｃを個別に制御する室内制御装置４１ａ、４１ｂ、４１ｃが設けられている。そして、これら室外機１ａ、１ｂと室内機３ａ、３ｂ、３ｃとを統括して制御する集中制御装置４３が設けられている。この集中制御装置４３は、室外制御装置３９ａ、３９ｂと室内制御装置４１ａ、４１ｂ、４１ｃとを制御線を通じて監視し、制御信号の送受信を行っている。
この実施の形態では、室内機３ｃの室内熱交換器２７ｃの容量が、他の室内機３ａ、３ｂの室内熱交換器２７ａ、２７ｂの容量と比べて大きい。この実施の形態では、室内熱交換器２７ａ、２７ｂの容量は、１４ｋＷであり、室内熱交換器２７ｃは、２２．４ｋＷである。
【００２０】
ところで、暖房運転時に、停止中の室内機３の室内熱膨張弁２９は閉じられているので、従来、この停止中の室内機３の室内熱交換器２７に冷媒が寝込む場合が生じていた。この寝込んだ冷媒を室外機１に回収する場合には、集中制御装置４３又は各室内機３の室内制御装置４１が停止中の室内機３の停止時間を計測しており、計測した停止時間が、一定時間経過すると、室内膨張弁２９が開かれ、室内熱交換器２７に寝込んだ冷媒が運転中の室外機１に回収されていた。ところが、停止中の室内機３の室内熱交換器２７の中で、容量が大きいものが含まれている場合、この容量が大きい室内熱交換器２７に冷媒が寝込むと運転中の室外機の冷媒流量が不足するガス欠状態になるという事態が生じ、さらに、この容量が大きい室内熱交換器２７に、寝込んだ冷媒を回収する際に、寝込んだ冷媒を一度に室外機１に回収すると液バック等の不具合が発生し、運転が不安定になるという事態が生じていた。
【００２１】
このため、この実施の形態では、一定以上に容量が大きい室内熱交換器２７に冷媒が寝込むことがないように、ガス欠を予測する手段を設け、ガス欠が予測された時点で、室内機３の室内膨張弁２９を開放し、冷媒を運転中の室外機に戻す制御手段を備えている。また、仮に冷媒が寝込んでも、寝込んだ冷媒が一度に室外機１に回収され、液バック等の不具合が発生することがないように、室内膨張弁の弁開度の増加ステップ数の上限値を設定し、室内膨張弁２９の室内熱交換器２７の容量に応じて室内膨張弁２９の弁開度を調整する制御が実施される。
【００２２】
この制御の対象になる室内機３は、停止中の室内機３のうちで室内熱交換器２７の容量が一定以上に大きいものである。この実施の形態では、室内熱交換器２７の容量が２２．４ｋＷ以上のものを制御の対象とし、室内熱交換器２７ｃが該当する。
【００２３】
この停止中の室内機３の室内膨張弁２９の弁開度を調整する制御に先立って、集中制御装置４３は、運転中の１台の室外機１の冷媒圧力、冷媒温度等のデータに基づいて装置全体を制御するために、このデータを取り込む室外機１を基準機として選択する。
この実施の形態では、最初に起動した室外機１が基準機に選択される。最初に起動する条件として、累積運転時間の少ないことや予め設定された優先運転順位に基づくことが考案されている。この実施の形態では、室外機１ａ、１ｂが共に運転されており、室外機１ａが基準機として選択されている。
【００２４】
以下に、室内機３ａ、３ｂのうち少なくとも一方が運転され、室内機３ｃが停止中の場合における、室内機３ｃの室内膨張弁２９ｃの弁開度を調整する制御について、図２のフローチャートを用いて詳述する。
【００２５】
まず、集中制御装置４３は、運転中の室内機３が暖房運転であるかどうかを判断する（Ｓ１）。この室内膨張弁２９ｃの弁開度を調整する制御は、暖房運転時において停止中の室内機３ｃの室内熱交換器２７ｃに多量の冷媒が寝込むことを防止し、仮に冷媒が寝込んでも、寝込んだ冷媒を一度に回収することなく徐々に回収する制御なので、暖房運転であると判断されない場合には実施されない。
【００２６】
暖房運転であると判断された場合には、室外機１ａ、１ｂの室外制御装置３９ａ、３９ｂが個別に、室外熱交換器冷媒入口温度センサ１５ａ、１５ｂが検出する温度と、室外熱交換器冷媒出口温度センサ１１ａ、１１ｂが検出する温度と、の温度差を算出し、この温度差のデータに基づいて、各室外機１の冷媒流量が不足しているか否か（ガス欠か否か）を判断する。すなわち、この実施の形態では、室外制御装置３９ａ、３９ｂが、ガス欠か否かを予測する予測手段である。このガス欠しているか否かの判断となる温度差は、この実施の形態では、１０℃である。実験の結果、冷媒流量の不足量に応じて、この温度差は１０℃から２２℃程度まで変化する。
【００２７】
冷媒流量が充足している場合、冷媒出入口の温度差は、実験の結果、２℃〜７℃程度であり、通常、冷媒流量が充足していると判断される温度差の設定値は０℃〜５℃であるので、温度差が１０℃あれば、当該室外機１のガス欠の発生が予測されると判断できる。
【００２８】
室外機１のガス欠の発生が予測されると判断した室外機１ａ、１ｂの室外制御装置３９ａ、３９ｂは、個別に、冷媒出入口の温度差に応じて、室外膨張弁１７ａ、１７ｂの弁開度を調整する。
【００２９】
ここで、集中制御装置４３は、室外膨張弁１７ａ、１７ｂの弁開度の変化を、制御線を通じて監視しており、この室外膨張弁１７ａ、１７ｂの弁開度の変化から室外機１のガス欠の発生が予測されたことを検知する。
【００３０】
集中制御装置４３は、室外機１のガス欠の発生が予測されたことを検知すると、停止中の室内機３の室内熱交換器２７に冷媒が寝込んでいると判断する。室内機３ｂ、３ｃが停止中である場合、室内機３ｂに関しては、室内熱交換器２７ｂの容量が一定容量よりも小さいので、従来の制御が実施される。この従来の制御は、集中制御装置４３が室内機３ｂの停止時間を計測しており、この停止時間が一定時間経過をした場合、室内膨張弁２９ｂの弁開度を大きくし、寝込んだ冷媒を運転中の室外機１に回収する。それに対し、室内機３ｃに関しては、室内熱交換器２７ｃの容量が一定容量よりも大きいので、室内熱交換器２７ｃの容量に応じて室内膨張弁２９ｃの弁開度を調整する制御が実施される。
【００３１】
この室内膨張弁２９ｃの弁開度は、以下に示す数１の演算式に基づいて室内膨張弁演算係数Ｘが演算され（Ｓ２）、この室内膨張弁演算係数Ｘに基づいて調整される。
【００３２】
【数１】
2007315750.tif 000003
【００３３】
この室内膨張弁演算係数Ｘを、運転中の室外機１の室外制御装置３９が一定時間毎に演算する。この実施の形態では、一定時間は３０秒とした。
【００３４】
また、演算式数１において、Ｖ１は、室外膨張弁現在開度、Ｖ２は、室外膨張弁前回開度、Ｖ３は、室内機弁開度係数を示している。
【００３５】
各室内膨張弁２９と各室外膨張弁１７との弁開度はステップ数を増減させることで調整され、このＶ３は停止中室内膨張弁開度のステップ数の総和と、運転中室内機膨張弁開度のステップ数に定数を乗じたものの総和と、を集計したものである。
【００３６】
次に、この室内膨張弁演算係数Ｘが２０より大きいかどうかが判断される（Ｓ３）。２０より大きいと判断されない場合には、室内膨張弁演算係数Ｘが−２０より小さいかどうかが判断される（Ｓ４）。
【００３７】
Ｓ３、Ｓ４において、室内膨張弁演算係数Ｘが２０より大きくなく、−２０より小さくない場合、つまり、室内膨張弁演算係数Ｘが−２０＜Ｘ＜２０の場合には、室外膨張弁１７の弁開度が前回検出時（３０秒前）の弁開度よりも増加していないことになり、停止中の室内機３ｃの室内膨張弁２９ｃの弁開度を調整する制御は実行されない。
【００３８】
Ｓ３、Ｓ４において、室内膨張弁演算係数Ｘが２０より大きく、又は−２０より小さい場合には、停止中の室内機３ｃの室内膨張弁２９ｃの弁開度を調整する制御が実行され、室内膨張弁開度修正基準量δＳＴＥＰ＿１が以下に示す演算式数２によって算出される。
【００３９】
【数２】
2007315750.tif 000004
【００４０】
この演算式数２において、ｎは室内熱交換器２７の容量が２２．４ｋＷ以上のものを含む室内機３の台数を示している。
【００４１】
この室内膨張弁開度修正基準量δＳＴＥＰ＿１を、運転中の室外機１の室外制御装置３９が一定時間毎に演算する。すなわち、室内膨張弁開度修正基準量δＳＴＥＰ＿１は、３０秒毎に演算された室内膨張弁演算係数Ｘに基づいて演算される。運転中の室外機１は演算した室内膨張弁開度修正基準量δＳＴＥＰ＿１の値を、制御線を介して集中制御装置４３に通信する。
【００４２】
集中制御装置４３は、運転中の各室外機１から室内膨張弁開度修正基準量δＳＴＥＰ＿１を受信すると、基準機として選択した室外機１（室外機１ａ）からの室内膨張弁開度修正基準量δＳＴＥＰ＿１（以下、選択された室内膨張弁開度修正基準量δＳＴＥＰ’とする。）に基づいて、各室内機３の室内膨張弁開度を調整する。
【００４３】
まず、集中制御装置４３は、室内機３の運転番号を示すｉに０を入力し（Ｓ６）、この運転番号ｉの小さい順に従って室内機３毎に、室内機３の室内熱交換器２７の容量が２２．４ｋＷよりも大きいか否かを判断する（Ｓ７）。室内機（ｉ）の室内熱交換器２７の容量が、２２．４ｋＷよりも大きくない場合には、この室内機（ｉ）の室内膨張弁２９の弁開度は、従来通り、停止時間が一定時間経過後に一度に増加される。
【００４４】
室内機（ｉ）の室内熱交換器２７の容量が、２２．４ｋＷよりも大きい場合には、まず、室内機（ｉ）が運転しているかどうかが判断される（Ｓ８）。室内機（ｉ）が運転中の場合には、室内膨張弁２９の弁開度は運転状況に応じて制御される。
【００４５】
室内機（ｉ）が運転中でない場合には、選択された室内膨張弁開度修正基準量δＳＴＥＰ’の値が０より小さいかどうかが判断される（Ｓ９）。
【００４６】
選択された室内膨張弁開度修正基準量δＳＴＥＰ’の値が０より小さいかどうかを集中制御装置４３が判断するのは、０より小さい場合は、基準機の室外膨張弁１７の弁開度が前回（３０秒前）より小さくなった場合、すなわち、基準機の室外制御装置３９が、基準機のガス欠発生が予測されたもののガス欠でないと判断した場合であり、０より小さくない場合は、基準機の室外膨張弁１７の弁開度が前回（３０秒前）より大きくなった場合、すなわち、基準機の室外制御装置３９が、基準機のガス欠発生が予測された且つガス欠であると判断した場合である。
【００４７】
選択された室内膨張弁開度修正基準量δＳＴＥＰ’の値が０より小さいと判断された場合には、現在の室内膨張弁開度ＳＴＥＰ（ｉ）の値が３５０より小さいかどうかが判断される（Ｓ１０）。
【００４８】
現在の室内膨張弁開度ＳＴＥＰ（ｉ）の値が３５０より小さいと判断されない場合には、室内膨張弁開度修正量係数Ｋを１．０とし（Ｓ１１）、現在の室内膨張弁開度ＳＴＥＰ（ｉ）の値が３５０より小さいと判断された場合には、室内膨張弁開度修正量係数Ｋを０．５とし（Ｓ１２）、選択された室内膨張弁開度修正基準量δＳＴＥＰ’に室内膨張弁開度修正量係数Ｋを乗じ、室内膨張弁開度修正量δＳＴＥＰ（ｉ）を算出する（Ｓ１５）。
【００４９】
Ｓ９においてδＳＴＥＰ’の値が負となり、ガス欠の発生が予測されたもののガス欠ではないと判断され、このδＳＴＥＰ’の値が負である場合には、Ｓ１５において算出された室内膨張弁開度修正量δＳＴＥＰ（ｉ）は負となる。また、Ｓ１０〜Ｓ１２において、現在の室内膨張弁開度ＳＴＥＰ（ｉ）の値が３５０より小さいと判断されない場合には、室内膨張弁開度修正量係数Ｋが１．０であり、現在の室内膨張弁開度ＳＴＥＰ（ｉ）の値が３５０より小さいと判断された場合には、室内膨張弁開度修正量係数Ｋが０．５である。従って、ガス欠の発生が予測されたもののガス欠ではない場合には、制御対象となった室内機３の室内膨張弁２９の現在の弁開度は、減少し、しかも現在の室内膨張弁開度ＳＴＥＰ（ｉ）の値が３５０より大きい場合にはその弁開度の減少量は大きく、現在の室内膨張弁開度ＳＴＥＰ（ｉ）の値が３５０より小さい場合にはその弁開度の減少量が小さくなる。すなわち、運転中の室外機１のガス欠の発生が予測されない場合であっても、予防的に冷媒流量の不足事態を防ぐために、停止中の室内機３の室内膨張弁２９の弁開度を現在の弁開度に応じて増加させる。
【００５０】
Ｓ９にて、選択された室内膨張弁開度修正基準量δＳＴＥＰ’の値が０より小さいと判断されない場合には、基準機の圧縮機吐出圧力センサ（図示せず）の値に基づいて以下に示す演算式数３によって演算される冷媒（この実施の形態では冷媒Ｒ２２を使用している。）の飽和温度Ｔｓと、当該室内機（ｉ）の熱交換器２７の暖房運転時の出口温度、すなわち熱交換器出口温度センサ３３が検出した温度Ｅ１（ｉ）との温度差が２℃より大きいかどうかが判断され（Ｓ１３）、２℃より大きいと判断された場合には、この室内機（ｉ）の室内熱交換器２７には、冷媒が寝込んでいると判断され、室内膨張弁開度修正量係数Ｋを１．５とする（Ｓ１４）。これにより、この室内機（ｉ）の室内膨張弁２９の室内膨張弁開度修正量δＳＴＥＰ（ｉ）を大きくし、冷媒の回収を迅速に行うことが可能である。飽和温度Ｔｓと熱交換器２７の暖房運転時の出口温度Ｅ１（ｉ）との温度差が２℃より大きいと判断されない場合には、室内膨張弁開度修正量係数Ｋを１．０とする（Ｓ１１）。
【００５１】
【数３】
2007315750.tif 000005
【００５２】
次に、Ｓ１５において、算出された室内膨張弁開度修正量δＳＴＥＰ（ｉ）の値が、６０より大きいかどうか判断される（Ｓ１６）。室内膨張弁開度修正量δＳＴＥＰ（ｉ）の値が、６０より大きいと判断された場合には、室内膨張弁開度修正量δＳＴＥＰ（ｉ）の値を６０とし（Ｓ１９）、室内膨張弁開度修正量δＳＴＥＰ（ｉ）の値が、６０より大きいと判断されない場合には、新たな室内膨張弁開度修正量δＳＴＥＰ（ｉ）の値が、−３０より小さいかどうか判断される（Ｓ１７）。室内膨張弁開度修正量δＳＴＥＰ（ｉ）の値が、−３０より小さいと判断された場合には、室内膨張弁開度修正量δＳＴＥＰ（ｉ）の値を−３０とし（Ｓ１８）、現在の室内膨張弁開度ＳＴＥＰ（ｉ）に室内膨張弁開度修正量δＳＴＥＰ（ｉ）が加算され、当該室内機（ｉ）の新たな室内膨張弁開度が求められる（Ｓ２０）。
【００５３】
この後、室内膨張弁２９の弁開度を新たな室内膨張弁開度に調整する際に、弁開度を減少させる場合には、弁開度を増加させる場合と比べて、弁を調整する時間を倍にした。このため、配管内部の冷媒に対する抵抗が多くならず再び冷媒が寝込みにくい。
【００５４】
そして、運転番号ｉに１加算して（Ｓ２１）、他の室内機（ｉ）の室内膨張弁２９の弁開度の調整に移り、この運転番号に１加算された数が、室内機台数に等しくなったかどうかが判断され（Ｓ２２）、運転番号に１加算された数が、室内機台数に等しくなるまで、他の室内機（ｉ）の室内膨張弁２９の弁開度の調整が繰り返し実行され、等しくなったと判断された場合には、この制御は終了する。
【００５５】
このＳ２２が終了後、再びＳ１に戻り、空気調和装置のいずれかの室内機３が運転中には絶えず、繰り返し実行され、停止中の室内機３の室内熱交換器２７に冷媒が寝込むことによって生じるガス欠の発生を防ぐことができる。
すなわち、この実施の形態では、室内機３ｃの室内熱交換器２７ｃに冷媒が寝込んでしまった場合に、室内膨張弁２９ｃの室内膨張弁開度修正量の増加分の上限値を６０ステップにして弁開度を調整し、この室内膨張弁２９ｃの弁の開放の制御が必要に応じて繰り返し実行されるので、寝込んだ冷媒が徐々に運転中の室外機１に回収される。
【００５６】
さらに、室外膨張弁１７ａの開度変化がなくなった場合、すなわちガス欠がなく安定運転時には、室外膨張弁１７の弁開度の絶対値と室内膨張弁２９の弁開度の絶対値との差に基づいて、室内膨張弁２９の弁開度を調整する。この理由は、冷媒流量が十分な状態、つまりガス欠が完全に解消された状態では、室外膨張弁１７の弁開度が減少し、室内膨張弁２９の弁開度の絶対値が大きくなった状態のまま安定してしまうことを防止するためである。これによって停止中の室内機へ不必要な冷媒が流れ込むことを防止し、効率の悪い運転が回避される。
【００５７】
この実施の形態では以下の効果を奏す。
【００５８】
Ｓ７にて、室内熱交換器２７の容量が一定以上（２２．４ｋＷ）大きい室内熱交換器２７を備える室内機３を選択し、Ｓ９にて、当該室内機３のうち停止中の室内機３が選択され、Ｓ１０にて、停止中の室内機３の室内膨張弁２９の現在弁開度を参考にしつつ、Ｓ１５にて室内膨張弁開度修正量δＳＴＥＰ（ｉ）を算出し、Ｓ１６〜Ｓ１９にて、この室内膨張弁開度修正量δＳＴＥＰ（ｉ）の値が−３０＜δＳＴＥＰ（ｉ）＜６０の場合にはそのまま、一定量（６０ステップ）より大きい場合には、一律６０とし、一定量（−３０ステップ）より小さい場合には一律−３０とし、Ｓ２０にて、現在の室内膨張弁開度ＳＴＥＰ（ｉ）に加算しているので、一定以上に容量の大きい室内熱交換器２７を備える室内機３の室内膨張弁開度の増加開度、減少開度にそれぞれ、上限値、下限値が設定され、なおかつ、空気調和装置が運転中には当該制御が繰り返し実行される。
【００５９】
このため、室内機３の室内膨張弁２９の弁開度が徐々に調整され、一定以上に容量の大きい室内熱交換器２７に多量の冷媒が寝込むことを未然に防ぐことができ、冷媒流量が不足するガス欠状態を防止することができる。
【００６０】
また、前回の室内膨張弁２９の弁開度の調整から一定時間（３０秒間）の間に多量の冷媒が室内熱交換器２７に寝込んだ場合であっても、６０ステップを上限として一度に室内膨張弁の弁開度が増加することがないので、当該室内機３の室内熱交換器２７に寝込んだ冷媒が、一度に運転中の室外機１に回収されことがなく、液バック等の不具合を生じることが無く、安定した運転が維持される。
【００６１】
さらに、従来、ガスエンジン駆動による圧縮機５ａ、５ｂを備える空気調和装置において、室外機１の室外熱交換器１３ａ、１３ｂの容量を超える大容量の室内熱交換器２７を備える室内機３を複数台接続して当該装置を構成することは、以下の理由により困難であった。その理由とは、室内機３の室内熱交換器２７に寝込む冷媒量が多く、この寝込んだ冷媒を運転中の室外機１に回収する際に、液バック等の不具合が生じ、特にガスエンジンを駆動源に備える空気調和装置においては、電動機を駆動源に備えるものに比べ、制御対象となるパラメータが多く運転が不安定になりやすいことである。がしかし、本発明による一定以上に容量の大きい室内熱交換器２７に多量の冷媒が寝込むことを未然に防ぐ制御が実施されることによって、一度に寝込んだ多量の冷媒が運転中の室外機１に戻ることが無く、液バック等の不具合が生じることがない。このため、室外機１の室外熱交換器１３ａ、１３ｂの容量を超える大容量の室内熱交換器２７を備える室内機３を複数台接続して、ガスエンジンを駆動源に備える空気調和装置を構成することが可能となる。
【図面の簡単な説明】
【００６２】
【図１】本発明による空気調和装置の一実施例を示すブロック図である。
【図２】室内膨張弁の弁開度を調整するためのフローチャート図である。
【符号の説明】
【００６３】
１、１ａ、１ｂ  室外機
３、３ａ、３ｂ、３ｃ  室内機
１７、１７ａ、１７ｂ  室外膨張弁
２７、２７ａ、２７ｂ  室内熱交換器
２９、２９ａ、２９ｂ  室内膨張弁
３９、３９ａ、３９ｂ  室外機制御装置
４１、４１ａ、４１ｂ、４１ｃ  室内機制御装置
４３  集中制御装置
【図１】
2007315750.tif 000006
【図２】
2007315750.tif 000007